(57)【要約】      （修正有）【課題】磁性及び風力を利用したリラックス効果のある玩具を提供する。【解決手段】磁性及び風で動く玩具は、中空状のブロックであり、一端に中心穴が形成され、側壁に複数の貫通穴１１４、１１５が形成される枠体と、枠体の内部にモータ２１が設けられると共に、中心穴と連通するように、モータに装着されるファンを備える風力作動部材と、ファンに嵌め込まれる複数の磁性ブロック３１及び、枠体の内部に嵌合される複数の電磁石３２を備える磁性部材３０と、枠体の内部に設置されると共に、それぞれモータ及び電磁石に電気接続される電源部材とを有する。ファンにより空気を枠体の中心穴から放出し、枠体上部の受け部に設置した造形物品が空気により揺動する。同時に、磁性ブロックもファンの枠部と同期回動しながら、電磁石の通電または断電により浮かんだり吸着したりして様々な動きをするので、心を癒して緊張感を解消できる。【選択図】図３
0003198328.tif 000002
【実用新案登録請求の範囲】
【請求項１】
中空状のブロックであり、一端に中心穴が形成され、側壁に複数の貫通穴が形成される枠体と、
前記枠体の内部にモータが設けられると共に、前記中心穴と連通するように、該モータに装着されるファンを備える風力作動部材と、
前記ファンに嵌め込まれる複数の磁性ブロック及び、前記枠体の内部に嵌合される複数の電磁石を備える磁性部材と、
前記枠体の内部に設置されると共に、それぞれモータ及び電磁石に電気接続される電源部材とを有することを特徴とする、
磁性及び風で動く玩具。
【請求項２】
前記枠体の一端にベース部材が設けられると共に、他端に受け部が設けられ、そのうち、該ベース部材における、側壁に径方向に沿って内部と連通する複数の通り穴が間隔をおいて形成され、内周面に設置フレームが延設されると共に、複数の固定フレームが間隔をおいて延設され、一方、該受け部の中心に環状凸縁が凸設され、該環状凸縁と受け部の内周面との間に受け凹部が形成され、該環状凸縁の中心に、座部の内部と連通する中心穴が形成され、該環状凸縁の上端面に軸方向に沿って貫通する複数の嵌め込み凹部が間隔をおいて形成され、前記モータは、駆動軸を備え、該駆動軸は、中心穴に向かうように、前記枠体のベース部材における設置フレームに取り付けられ、前記ファンは、前記モータに設置され、前記電磁石はそれぞれ、前記枠体のベース部材に嵌合されることを特徴とする請求項１に記載の磁性及び風で動く玩具。
【請求項３】
前記ファンは、羽根と、枠部と、複数の設置穴とを備え、そのうち羽根は、中心穴と対応するように、モータの駆動軸に設置され、該枠部は、羽根の周囲に設けられ、該設置穴はそれぞれ、間隔をおいて枠部に形成され、前記磁性部材の磁性ブロックはそれぞれ、ファンの設置穴に嵌め込まれることを特徴とする請求項２に記載の磁性及び風で動く玩具。
【請求項４】
前記電源部材は、基板と、オスコネクタと、メスコネクタと、複数の照明ユニットと、スイッチとを備え、そのうち基板は、枠体の内部に設置され、該オスコネクタ、該メスコネクタ、該各照明ユニット、該スイッチ、前記モータ、前記各電磁石はそれぞれ該基板に電気接続され、前記枠体のベース部材における、側壁の底部近傍に径方向に沿って内部と連通する複数の連通穴が形成され、前記オスコネクタ、メスコネクタ、及び照明ユニットはそれぞれ、連通穴に嵌め込まれ、前記枠体の受け部の環状凸縁に軸方向に沿って貫通する複数の嵌め込み凹部が間隔をおいて形成され、前記照明ユニットはそれぞれ、該嵌め込み凹部に嵌め込まれることを特徴とする請求項２または３に記載の磁性及び風で動く玩具。
【請求項５】
前記枠体の受け部に造形物品が設置されることを特徴とする請求項４に記載の磁性及び風で動く玩具。
【請求項６】
前記枠体の受け部の受け凹部に少なくとも１つの磁性部材が設置されることを特徴とする請求項４または５に記載の磁性及び風で動く玩具。
【考案の詳細な説明】
【技術分野】
【０００１】
本考案は、特に磁性及び風力を利用した玩具に関するものである。
【背景技術】
【０００２】
現代社会は、速い作業スピード、高い作業効率が求められていることから、関連産業の従業者の仕事量が増加してストレスが溜まり、仕事に集中できないことからミスが増えるといった問題があった。
【０００３】
さらに、医学的に、人間は長時間に亘り集中して仕事をすると、心理的ストレスや緊張により疲労しやすくなると共に、高血圧や不整脈などの心臓の問題が起こりやすいことが分かっている。
【考案の概要】
【考案が解決しようとする課題】
【０００４】
現代社会においては、仕事に作業の効率が求められることから、従業者は緊張によりストレスが溜まり易く、この状態のままで仕事をし続けると、効率や正確性が低下してしまうので、出願人は、緊張を緩和したり、リラックスできる癒しグッズが必要であると考えた。
【課題を解決するための手段】
【０００５】
本考案に係る磁性及び風で動く玩具は、中空状のブロックであり、一端に中心穴が形成され、側壁に複数の貫通穴が形成される枠体と、前記枠体の内部にモータが設けられると共に、前記中心穴と連通するように、該モータに装着されるファンを備える風力作動部材と、前記ファンに嵌め込まれる複数の磁性ブロック及び、前記枠体の内部に嵌合される複数の電磁石を備える磁性部材と、前記枠体の内部に設置されると共に、それぞれモータ及び電磁石に電気接続される電源部材とを有するものである。
【０００６】
かかる磁性及び風で動く玩具において、前記枠体の一端にベース部材が設けられると共に、他端に受け部が設けられ、そのうち、該ベース部材における、側壁に径方向に沿って内部と連通する複数の通り穴が間隔をおいて形成され、内周面に設置フレームが延設されると共に、複数の固定フレームが間隔をおいて延設され、一方、該受け部の中心に環状凸縁が凸設され、該環状凸縁と受け部の内周面との間に受け凹部が形成され、該環状凸縁の中心に、座部の内部と連通する中心穴が形成され、該環状凸縁の上端面に軸方向に沿って貫通する複数の嵌め込み凹部が間隔をおいて形成され、前記モータは、駆動軸を備え、該駆動軸は、中心穴に向かうように、前記枠体のベース部材における設置フレームに取り付けられ、前記ファンは、前記モータに設置され、前記電磁石はそれぞれ、前記枠体のベース部材に嵌合されることが好ましい。
【０００７】
かかる磁性及び風で動く玩具において、前記ファンは、羽根と、枠部と、複数の設置穴とを備え、そのうち羽根は、中心穴と対応するように、モータの駆動軸に設置され、該枠部は、羽根の周囲に設けられ、該設置穴はそれぞれ、間隔をおいて枠部に形成され、前記磁性部材の磁性ブロックはそれぞれ、ファンの設置穴に嵌め込まれることが好ましい。
【０００８】
かかる磁性及び風で動く玩具において、前記電源部材は、基板と、オスコネクタと、メスコネクタと、複数の照明ユニットと、スイッチとを備え、そのうち基板は、枠体の内部に設置され、該オスコネクタ、該メスコネクタ、該各照明ユニット、該スイッチ、前記モータ、前記各電磁石はそれぞれ該基板に電気接続され、前記枠体のベース部材における、側壁の底部近傍に径方向に沿って内部と連通する複数の連通穴が形成され、前記オスコネクタ、メスコネクタ、及び照明ユニットはそれぞれ、連通穴に嵌め込まれ、前記枠体の受け部の環状凸縁に軸方向に沿って貫通する複数の嵌め込み凹部が間隔をおいて形成され、前記照明ユニットはそれぞれ、該嵌め込み凹部に嵌め込まれることが好ましい。
【０００９】
かかる磁性及び風で動く玩具において、前記枠体の受け部に造形物品が設置されることが好ましい。
【００１０】
かかる磁性及び風で動く玩具において、前記枠体の受け部の受け凹部に少なくとも１つの磁性部材が設置されることが好ましい。
【考案の効果】
【００１１】
本考案に係る磁性及び風で動く玩具を稼動させると、ファンにより空気を枠体の中心穴から放出し、受け部に設置した造形物品が空気により揺動する。この時、磁性部材の磁性ブロックもファンの枠部と同期回動しながら、電磁石の通電または断電により浮かんだり吸着したりして様々な動きをするので、仕事中の従業者の心を癒して緊張感を解消すると共に、職場のストレスを発散することができる。
【図面の簡単な説明】
【００１２】
【図１】本考案に係る磁性及び風で動く玩具の斜視図である。
【図２】本考案に係る磁性及び風で動く玩具の一方のケースの側面視平面図である。
【図３】本考案に係る磁性及び風で動く玩具の分解斜視図である。
【図４】本考案に係る磁性及び風で動く玩具において、熱気球の造形物品を装着した状態を示す側面視平面図である。
【図５】本考案に係る磁性及び風で動く玩具において、磁性部材を設置した状態を示す斜視図である。
【図６】本考案に係る磁性及び風で動く玩具を２つ繋げた状態を示す側面視平面図である。
【考案を実施するための形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１及び図２に示すように、本考案に係る磁性及び風で動く玩具は、枠体１０と、風力作動部材２０と、磁性部材３０と、電源部材４０とを有し、図４及び図５に示すように、さらに造形物品５０及び磁性部材６０を有する。
【００１５】
図１及び図３に示すように、前記枠体１０は、中空状のブロックであり、一端にベース部材１１が設けられると共に、他端に受け部１２が設けられる。尚、本実施例における枠体１０は、２つのケースからなり、それらのケースは、同一の構造を有すると共に、互いに面するように組み合わされて中空状の枠体１０を構成する。
【００１６】
前記ベース部材１１は、側壁を径方向に貫通して内部と連通する複数の通り穴１１１が間隔をおいて形成され、内周面の相対する両側にそれぞれ設置フレーム１１２が延設され、内周面の四つの箇所にそれぞれ１対の固定フレーム１１３が間隔をおいて延設され、側壁の底部近傍に径方向に沿って内部と連通する複数の連通穴が間隔をおいて形成され、側壁に軸方向に沿って貫通する２つの配線凹部１１７が間隔をおいて形成される。
尚、本実施例においては、その配線凹部１１７が各ケースの組み合わせ面に凹設され、その連通穴における、第一連通穴１１４と、第二連通穴１１５と、第三連通穴１１６とを備え、それら第一連通穴１１４、第二連通穴１１５、第三連通穴１１６はそれぞれ、間隔をおいてベース部材１１の側壁に径方向に沿って貫通するように形成される。
【００１７】
前記受け部１２は、中心に環状凸縁１２０が凸設され、該環状凸縁１２０と受け部１２の内周面との間に受け凹部１２１が形成され、該環状凸縁１２０の中心に中心穴１２２が形成され、該中心穴１２２はベース部材１１の内部と連通し、環状凸縁１２０の上端面に軸方向に沿って貫通する２つの嵌め込み凹部１２３が間隔をおいて形成され、該嵌め込み凹部１２３はそれぞれ配線凹部１１７と連通する。尚、本実施例における嵌め込み凹部１２３は、各ケースの環状凸縁１２０の組み合わせ面に凹設される。
【００１８】
図２及び図３に示すように、前記風力部材２０は、枠体１０の内部に設置されると共に、モータ２１及びファン２２を備え、そのうちモータ２１は、枠体１０のベース部材１１の設置フレーム１１２に取り付けられると共に、受け部１２の中心穴１２２に向かう駆動軸２１０を備える。該ファン２２は、回転可能にモータ２１に設置されると共に、羽根２２１と、枠部２２２と、複数の設置穴２２３を備え、そのうち羽根２２１は、受け部１２の中心穴１２２と対応するように、モータ２１の駆動軸２１０に設置され、該枠部２２２は、羽根２２１の周囲に設けられ、該設置穴２２３はそれぞれ、間隔をおいて枠部２２２に形成される。
【００１９】
図３に示すように、前記磁性部材３０は、枠体１０の内部に設置されると共に、複数の磁性ブロック３１及び複数の電磁石３２を備え、そのうち磁性ブロック３１は、ファン２２の枠部２２２の設置穴２２３に嵌め込まれ、該電磁石３２は、枠体１０のベース部材１１の１対の固定フレーム１１３の間に嵌合される。尚、本実施例の磁性部材３０は、四つの電磁石３２を有する。
【００２０】
図１及び図２に示すように、前記電源部材４０は、枠体１０の内部に設置されると共に、基板（図示せず）と、オスコネクタ４１と、メスコネクタ４２と、複数の照明ユニット４３と、スイッチ４４とを備え、前記モータ２１及び電磁石３２はそれぞれ、電源部材４０の基板に電気接続される。尚、本実施例におけるオスコネクタ４１及びメスコネクタ４２は、ＵＳＢのコネクタである。
さらに、図２及び図３に示すように、該オスコネクタ４１及びメスコネクタ４２はそれぞれ、枠体１０のベース部材１１の第一連通穴１１４及び第二連通穴１１５に嵌め込まれ、一端を介して基板に電気接続され、また、前記照明ユニット４３は、ＬＥＤである。尚、本実施例における電源部材４０は、２つの照明ユニット４３を備え、該照明ユニット４３は、電源コード（図示せず）を介して基板に電気接続するように、枠体１０の受け部１２の嵌め込み凹部１２３に嵌め込まれ、該スイッチ４４は、基板に電気接続するように、枠体１０のベース部材１１の第三連通穴１１６に取り付けられる。
【００２１】
図２及び図４に示すように、本実施例はさらに、その枠体１０の受け部１２に熱気球の形状を呈する造形物品５０が設置される。
造形物品５０を使用する時は、そのオスコネクタ４１を外部の電源に電気接続させてモータ２１を駆動させ、その駆動軸２１０の回転に連動させてファン２２の羽根２２１を回転させることにより、その羽根２２１で外部の空気を枠体１０のベース部材１１の通り穴１１１に取り入れる。この構成によれば、図１及び図３に示すように、空気が羽根２２１から送出して中心穴１２２を通過して枠体１０から吹き出し、また、照明ユニット４３が発光することによって、造形物品５０が上昇しながら揺動して発光も発する。故に、従業者を癒して仕事の緊張やストレスを解消でき、さらに、使用者がスイッチ４４を切り替えると、空気の放出量を調整できるので、造形物品５０の揺動を幅を激しく、または、弱く調整することができる。
尚、本考案の造形物品５０は、熱気球の形状だけでなく、炎や回転木馬、人形などの形状のものを使用してもよい。
【００２２】
図５に示すように、少なくとも１つの磁性部材６０が枠体１０の受け部１２の受け凹部１２１に設置される。該磁性部材６０は、磁性を有するもの或いは、内部に磁石を包むものであってもよく、磁性を有するものであれば、如何なるタイプのものであってもよい。また、稼動させると、ファン２２の設置穴２２３に設置された磁性ブロック３１が、羽根２２１と一緒に回転しそれと同時に、電磁石３２が基板によって通電したり断電したりして、電磁石３２が磁気ヒステリシスを発生し、その後、電磁石３２が基板によって電流を反対方向に流し、電磁石３２に反対の磁性を生じさせることから、磁性部材６０が電磁石３２の磁性変換に伴い、踊りのように揺動すると共に、受け凹部１２１に浮かび漂うように動く。
【００２３】
さらに、使用者がスイッチ４４を切り替えると、枠体１０を通過する空気の量を調整することができることから、ファン２２にある磁性ブロック３１の回動スピードを加速させることができるので、磁性部材６０の動きを調整することができる。この構成によれば、仕事での緊張を解消できると共に、気持ちを癒し、リラックスさせることができるので、仕事の効率を高めることができる。
【００２４】
図６に示すように、本考案に係る磁性及び風で動く玩具は、オスコネクタ４１を介してコンピュータまたは他の電気製品のＵＳＢ電源に電気接続することができる。この構成によると、他方のおもちゃをそのオスコネクタ４１を介してその一方のメスコネクタ４２に電気接続できることから、複数の磁性及び風で動く玩具を繋げて、同時に複数の玩具を稼動させることにより、面白さや楽しさを増大させて仕事のストレスをより解消することができる。
尚、本実施例におけるコネクタのオスコネクタ４１及びメスコネクタ４２は、ＵＳＢであるが、他のコネクタであってもよい。
【符号の説明】
【００２５】
１０    枠体
１１    ベース部材
１１１  通り穴
１１２  設置フレーム
１１３  固定フレーム
１１４  第一連通穴
１１５  第二連通穴
１１６  第三連通穴
１１７  配線凹部
１２    受け部
１２０  環状凸縁
１２１  受け凹部
１２２  中心穴
１２３  嵌め込み凹部
２０    風力部材
２１    モータ
２２    ファン
２２１  羽根
２２２  枠部
２２３  設置穴
３０    磁性部材
３１    磁性ブロック
３２    電磁石
４０    電源部材
４１    オスコネクタ
４２    メスコネクタ
４３    照明ユニット
４４    スイッチ
５０    造形物品
６０    磁性部材
【図１】
0003198328.tif 000003
【図２】
0003198328.tif 000004
【図３】
0003198328.tif 000005
【図４】
0003198328.tif 000006
【図５】
0003198328.tif 000007
【図６】
0003198328.tif 000008